(57)【特許請求の範囲】
【請求項１】
一端に形成された第１面と、他端に形成されて前記第１面に対向する第２面と、前記第１面の周縁と前記第２面の周縁とを繋ぐ側面と、を有する積木本体を備えた積木玩具において、
前記第１面は、前記側面に囲まれた内部空間の一端を閉鎖し、
前記第１面の表面の周縁には、他の積木本体と積み重ねた際、前記他の積木本体に接触可能な平坦面が形成され、
前記平坦面の内側には、前記第１面の表面から前記内部空間の外方に向けて起立した突起部が形成され、
前記突起部は、前記平坦面に沿った周面を有し、前記周面が突起中心に向かって傾いており、
前記第２面には、他の積木本体と積み重ねた際、前記他の積木本体に接する脚部が周縁に形成され、
前記脚部は、先端の内側に、前記突起部の周面に沿う傾斜角度で傾き、他の積木本体と積み重ねた際、前記他の積木本体の突起部の周面に接触する傾斜面が形成されている
ことを特徴とする積木玩具。
【請求項２】
請求項１に記載された積木玩具において、
前記積木本体は、前記第１面及び前記第２面が矩形状に形成されて方体形状を呈し、
前記突起部は、前記第１面から複数突出すると共に、それぞれ前記平坦面に沿った周面又は他の突起部との間に直線状の隙間を形成する周面の少なくとも一つを有する
ことを特徴とする積木玩具。
【請求項３】
請求項２に記載された積木玩具において、
前記積木本体は、前記第１面及び前記第２面が長方形に形成されて直方体形状を呈し、長手方向の一方の端部が、他方の端部よりも重くなっている
ことを特徴とする積木玩具。
【請求項４】
請求項３に記載された積木玩具において、
前記積木本体の表面には、長手方向の方向性を明示する目印が設けられている
ことを特徴とする積木玩具。
【請求項５】
請求項２から請求項４のいずれか一項に記載された積木玩具において、
前記積木本体は、前記第１面の裏面から垂下し、前記側面に囲まれた内部空間を区画するリブを有すると共に、前記第２面は開放し、
前記リブの垂下寸法は、前記側面の垂下寸法と同等に設定されると共に、前記リブの先端に、前記突起部の周面に沿って傾斜し、前記積木本体を他の積木本体と積み重ねた際、前記他の積木本体の突起部の周面に接触するリブ傾斜面が形成されている
ことを特徴とする積木玩具。
【請求項６】
請求項１から請求項５のいずれか一項に記載された積木玩具において、
前記第１面及び前記第２面が長方形に形成されて直方体形状を呈すると共に、長手方向寸法が自身の短手方向寸法の２倍の長さに設定された第１積木本体と、
前記第１面及び前記第２面が長方形に形成されて直方体形状を呈すると共に、長手方向寸法が自身の短手方向寸法の２倍の長さに設定され、且つ、短手方向寸法が前記第１積木本体の短手方向寸法の√２倍の長さに設定された第２積木本体と、
を有することを特徴とする積木玩具。
【発明の詳細な説明】
【技術分野】
【０００１】
本発明は、一端に形成された第１面と、他端に形成されて第１面に対向する第２面と、第１面の周縁と第２面の周縁とを繋ぐ側面と、を有する多面体形状の積木本体を備えた積木玩具に関するものである。
【背景技術】
【０００２】
従来、多面体形状の積木本体を積み上げたり崩したりして遊ぶ積木玩具が知られている（例えば、特許文献１参照）。また、側面に形成した凹凸を嵌め合わせて連結し、造形物を組み立てて遊ぶブロック玩具が知られている（例えば、特許文献２参照）。
【先行技術文献】
【特許文献】
【０００３】
【特許文献１】特開２０１５-２２９０００号公報
【特許文献２】特表平０９-５０４７１１号公報
【発明の概要】
【発明が解決しようとする課題】
【０００４】
ところで、従来の木製の積木玩具のように、平坦な面同士を接触させて積み上げたときには、互いに位置決めすることができず、積み上げた積木本体同士がずれてしまい、側面を揃えて積み上げたり、整然と積み上げたりすることが難しかった。
一方、ブロック玩具は、プラモデルのパーツのようにブロック本体同士を連結して造形物を組み立てるので、一度連結させたら容易に崩すことができない。すなわち、連結したブロック本体をバラバラにするには、嵌め合った凹凸を外す必要があり、崩すことが遊びになる積木玩具とは全く異なるものであった。
【０００５】
本発明は、上記問題に着目してなされたもので、複数の積木本体を積み上げた際には位置ずれを防止して容易に揃えることができる一方、簡単に崩すことができる積木玩具を提供することを目的としている。
【課題を解決するための手段】
【０００６】
上記目的を達成するため、本発明は、一端に形成された第１面と、他端に形成されて第１面に対向する第２面と、第１面の周縁と第２面の周縁とを繋ぐ側面と、を有する積木本体を備えた積木玩具において、
前記第１面は、前記側面に囲まれた内部空間の一端を閉鎖し、
前記第１面の表面の周縁には、他の積木本体と積み重ねた際、前記他の積木本体に接触可能な平坦面が形成され、前記平坦面の内側には、前記第１面の表面から前記内部空間の外方に向けて起立した突起部が形成されている。
前記突起部は、前記平坦面に沿った周面を有し、前記周面が突起中心に向かって傾いている。
前記第２面には、他の積木本体と積み重ねた際、前記他の積木本体に接する脚部が周縁に形成されている。
前記脚部は、先端の内側に、前記突起部の周面に沿う傾斜角度で傾き、前記積木本体を他の積木本体と積み重ねた際、前記他の積木本体の突起部の周面に接触する傾斜面が形成されている。
【発明の効果】
【０００７】
よって、本発明の積木玩具では、積木本体を他の積木本体と積み重ねた際、第２面に形成した脚部の先端の内側が、他の積木本体の第１面から突出する突起部の周面に接触する。そのため、下側に位置する他の積木本体に対し、上側に位置する積木本体の位置ずれが、脚部と突起部との干渉によって防止できる。このため、複数の積木本体を積み上げた際には、位置ずれを防止して容易に揃えることができる。
また、突起部の周面が突起中心に向かって傾いていると共に、脚部の先端の内側に、突起部の周面に沿って傾斜した傾斜縁部が形成されている。そのため、側面の内側に突起部が嵌合することがなく、積み上げた積木本体が連結されることがないので簡単に崩すことができる。
【図面の簡単な説明】
【０００８】
【図１】実施例１の積木玩具が有する第１積木本体と第２積木本体を示す外観斜視図である。
【図２】実施例１の第１積木本体と第２積木本体を下方から見たときの斜視図である。
【図３】実施例１の第１積木本体の平面図である。
【図４】図３のＡ−Ａ断面図である。
【図５】図３のＢ−Ｂ断面図である。
【図６】実施例１の第２積木本体の平面図である。
【図７】図６のＣ−Ｃ断面図である。
【図８】図６のＤ−Ｄ断面図である。
【図９Ａ】第１積木本体同士を側面が揃った状態で積み上げたときの説明図である。
【図９Ｂ】第１積木本体同士を側面がずれた状態で積み上げたときの説明図である。
【図１０】複数の第１積木本体を積み上げた際の積み上げ例を示す斜視図である。
【図１１】第１積木本体と第２積木本体を積み上げた際の積み上げ例を示す斜視図である。
【図１２】実施例１の積木本体の第１変形例を示す斜視図である。
【図１３】図１２に示す積木本体を積み上げた際の積み上げ例を示す斜視図である。
【図１４】突起部が形成されたプレート部材を用いて第１積木本体及び第２積木本体を積み上げた際の積み上げ例を示す斜視図である。
【図１５】実施例１の積木本体の第２変形例を示す斜視図である。
【図１６】実施例１の積木本体の第３変形例を示す斜視図である。
【発明を実施するための形態】
【０００９】
以下、本発明の積木玩具を実施するための形態を、図面に示す実施例１に基づいて説明する。
【００１０】
（実施例１）
まず、実施例１の積木玩具の構成を、「全体構成」、「第１積木本体の詳細構成」、「第２積木本体の詳細構成」に分けて説明する。
【００１１】
［全体構成］
図１及び図２は、実施例１の積木玩具が有する第１積木本体と第２積木本体を示す斜視図であり、図１は外観を示し、図２は下方から見たときの外観を示す。以下、図１及び図２に基づいて、実施例１の積木玩具の全体構成を説明する。
【００１２】
実施例１の積木玩具１は、並べたり積み重ねたり、崩したりして遊ぶ玩具であり、図１に示すように、第１積木本体１０（積木本体）と、第２積木本体２０（積木本体）と、を有している。この第１,第２積木本体１０,２０は、それぞれインジェクション成形等によってポリプロピレンやポリエチレンで一体的に形成されている。なお、第１,第２積木本体１０,２０を形成する材質については、これに限定されるものではなく、その他の合成樹脂や木材等であってもよい。
【００１３】
また、第１,第２積木本体１０,２０は、いずれも長方形の天面１１,２１（第１面）と、天面１１,２１の周縁から垂下した４つの側面１２,２２と、天面１１,２１から上方に突出した複数の突起部１３,２３と、天面１１,２１に対向すると共に開放した長方形の底面１４,２４（第２面）と、を有し、直方体形状を呈している。
【００１４】
ここで、第１積木本体１０に対し、第２積木本体２０は、短手方向の長さ寸法及び長手方向の長さ寸法がそれぞれ√２倍に設定され、高さが１.５倍に設定されている。また、それぞれの天面１１,２１や側面１２,２２の厚み寸法や、突起部１３,２３の突出寸法は同等に設定されている。
【００１５】
さらに、第１,第２積木本体１０,２０は、図２に示すように、それぞれ長手方向の一方の端部の肉厚が、他方の端部の肉厚よりも厚くなっている。これにより、各積木本体１０,２０は、いずれも長手方向の一方の端部が、他方の端部よりも重くなっている。そして、それぞれの天面１１,２１の表面１１ａ,２１ａ及び一部の側面１２,２２の表面には、長手方向の方向性、すなわち重くなっている方の長手方向の端部を明示する目印Ｍ（ここでは、動物の顔面イラスト及び矢印）が設けられている。
【００１６】
そして、第１,第２積木本体１０,２０は、天面１１,２１の裏面１１ｂ,２１ｂから垂下し、側面１２,２２に囲まれた内部空間Ｋを区画するリブ１５,２５を有している。
【００１７】
［第１積木本体の詳細構成］
図３は、実施例１の第１積木本体の平面図であり、図４及び図５は、第１積木本体の断面図である。以下、図１〜図５に基づき、実施例１の第１積木本体の詳細構成を説明する。
【００１８】
前記第１積木本体１０は、上述のように、天面１１と、側面１２と、突起部１３と、を有する直方体形状を呈している。
ここで、この第１積木本体１０は、長手方向寸法ＬＬ１が、自身（第１積木本体１０）の短手方向寸法ＬＳ１の２倍の長さに設定されている。
【００１９】
また、天面１１の表面１１ａの周縁には、他の第１積木本体１０や第２積木本体２０を載置可能な平坦面１６が形成されている。この平坦面１６は、天面１１の周縁の全周を取り囲んでいる。
なお、平坦面１６の幅寸法Ｗ１１は、第１積木本体１０の側面１２の先端面１２ａの幅寸法Ｗ１３や、第２積木本体２０の側面２２の先端面２２ａの幅寸法Ｗ２３と同等に設定されている。
【００２０】
そして、この平坦面１６の内側、すなわち天面１１の表面１１ａのうち平坦面１６によって取り囲まれた領域に、複数の突起部１３が形成されている。各突起部１３は、表面１１ａから起立した周面１３ａと、周面１３ａの先端に形成された平坦な先端面１３ｂと、を有している。ここで、周面１３ａは、先端面１３ｂの中心位置に設定される突起中心Ｏに向かって傾いている。
【００２１】
そして、複数の突起部１３のうち、平坦面１６に隣接した突起部１３は、この平坦面１６に沿う周面１３ａを有している。つまり、平坦面１６に隣接した突起部１３は、周面１３ａの一部が平坦面１６に沿って延びている。
【００２２】
さらに、突起部１３同士の間には、他の第１積木本体１０や第２積木本体２０を載置可能な隙間部１７が形成されている。すなわち、突起部１３は、自身の周面１３ａと、対向する他の突起部１３の周面１３ａとの間に、直線状の隙間部１７を形成する。この隙間部１７は、ある突起部１３の周面１３ａと、天面１１の表面１１ａからなる底面１７ａと、ある突起部１３に隣接する他の突起部１３の周面１３ａと、によって区画された直線空間である。ここでは、隙間部１７は、平坦面１６に取り囲まれた領域を長手方向に四等分する位置と、平坦面１６に取り囲まれた領域を短手方向に二等分する位置と、平坦面１６に取り囲まれた領域を長手方向に二等分した各領域を、それぞれ対角線に沿って四等分する位置と、に形成されている。これにより、各突起部１３は、三角柱形状を呈している。
【００２３】
また、この隙間部１７の底面１７ａの幅寸法Ｗ１２は、第１積木本体１０の側面１２の先端面１２ａの幅寸法Ｗ１３や、第２積木本体２０の側面２２の先端面２２ａの幅寸法Ｗ２３の２倍の大きさに設定されている。
なお、目印Ｍのうちの「矢印」については、この隙間部１７に沿って天面１１の表面１１ａの一部をシボ加工し、表面に細かい凹凸を形成することで設けられている。
【００２４】
前記側面１２は、天面１１の周縁から垂下され、先端１２´によって底面１４を区画する。すなわち、この側面１２の先端１２´が、ここでは開放している底面１４の周縁に形成される脚部に相当する。この側面１２の先端１２´には、平坦な先端面１２ａが形成されると共に、この先端面１２ａの内側縁を斜めに傾斜させることで傾斜面１２ｂが形成されている。
【００２５】
前記先端面１２ａは、第１積木本体１０を、他の第１積木本体１０や第２積木本体２０の天面１１,２１上に載置したときに、他の第１積木本体１０や第２積木本体２０の平坦面１６,２６や隙間部１７,２７の底面１７ａ,２７ａに接触する。先端面１２ａの幅寸法Ｗ１３は、側面１２の厚み寸法αの半分の大きさに設定されている。
【００２６】
前記傾斜面１２ｂは、先端面１２ａに対し、突起部１３の周面１３ａに沿う傾斜角度で傾いている。そしてこの傾斜面１２ｂは、第１積木本体１０を、他の第１積木本体１０や第２積木本体２０の天面１１,２１上に載置したときに、他の第１積木本体１０や第２積木本体２０の突起部１３,２３の周面１３ａ,２３ａに接触する。
【００２７】
前記リブ１５は、上述のように、天面１１の裏面１１ｂから垂下され、内部空間Ｋを長手方向に二等分するが、このリブ１５の先端には、平坦なリブ先端面１５ａが形成されると共に、このリブ先端面１５ａの両側縁を斜めに傾斜させることで、リブ傾斜面１５ｂが形成されている。
【００２８】
前記リブ先端面１５ａは、第１積木本体１０を、他の第１積木本体１０や第２積木本体２０の天面１１,２１上に載置したときに、他の第１積木本体１０や第２積木本体２０の平坦面１６,２６や隙間部１７,２７の底面１７ａ,２７ａに接触する。リブ先端面１５ａの幅寸法Ｗ１４は、第１積木本体１０の側面１２の先端面１２ａの幅寸法Ｗ１３や、第２積木本体２０の側面２２の先端面２２ａの幅寸法Ｗ２３の２倍の大きさに設定されている。
【００２９】
前記リブ傾斜面１５ｂは、リブ先端面１５ａに対し、突起部１３の周面１３ａに沿う傾斜角度で傾いている。そしてこのリブ傾斜面１５ｂは、第１積木本体１０を、他の第１積木本体１０や第２積木本体２０の天面１１,２１上に載置したときに、他の第１積木本体１０や第２積木本体２０の突起部１３,２３の周面１３ａ,２３ａに接触する。
【００３０】
そして、この第１積木本体１０は、上述のように、長手方向の一方の端部の肉厚が、他方の端部の肉厚よりも厚くなっているが、ここでは、長手方向の一端部の側面１２Ａの内側（裏面）に、厚肉部材１８（図２においてドットで着色する部分）を接着剤にて貼着している。
この厚肉部材１８は、長手方向の一端部の側面１２Ａの厚み寸法を内側に向かって増大させる。なお、この厚肉部材１８は、図４に示すように、傾斜面１２ｂには干渉しない部分に貼着されている。また、厚肉部材１８が貼着された長手方向の一端部に位置する側面１２Ａの表面には、目印Ｍのうちの「動物の顔面イラスト」がプリントされている。
【００３１】
［第２積木本体の詳細構成］
図６は、実施例１の第２積木本体の平面図であり、図７及び図８は、第２積木本体の断面図である。以下、図１,図２及び図６〜図８に基づき、実施例１の第２積木本体の詳細構成を説明する。
【００３２】
前記第２積木本体２０は、上述のように、天面２１と、側面２２と、突起部２３と、を有する直方体形状を呈している。
ここで、この第２積木本体２０は、長手方向寸法ＬＬ２が、自身（第２積木本体２０）の短手方向寸法ＬＳ２の２倍の長さに設定されている。さらに、この第２積木本体２０は、短手方向寸法ＬＳ２が第１積木本体１０の短手方向寸法ＬＳ１の√２倍の長さに設定され、長手方向寸法ＬＬ２が第１積木本体１０の長手方向寸法ＬＬ１の√２倍の長さに設定されている。
【００３３】
天面２１の表面２１ａの周縁には、第１積木本体１０や他の第２積木本体２０を載置可能な平坦面２６が形成されている。この平坦面２６は、天面２１の周縁の全周を取り囲んでいる。
なお、平坦面２６の幅寸法Ｗ２１は、第１積木本体１０の側面１２の先端面１２ａの幅寸法Ｗ１３や、第２積木本体２０の側面２２の先端面２２ａの幅寸法Ｗ２３と同等に設定されている。
【００３４】
そして、この平坦面２６の内側、すなわち天面２１の表面２１ａのうち平坦面２６によって取り囲まれた領域に、複数の突起部２３が形成されている。各突起部２３は、表面２１ａから起立した周面２３ａと、周面２３ａの先端に形成された平坦な先端面２３ｂと、を有している。ここで、周面２３ａは、先端面２３ｂの中心位置に設定される突起中心Ｏに向かって傾いている。
【００３５】
そして、複数の突起部２３のうち、平坦面２６に隣接した突起部２３は、この平坦面２６に沿う周面２３ａを有している。つまり、平坦面２６に隣接した突起部２３は、周面２３ａの一部が平坦面２６に沿って延びている。
【００３６】
さらに、突起部２３同士の間には、第１積木本体１０や他の第２積木本体２０を載置可能な隙間部２７が形成されている。すなわち、突起部２３は、自身の周面２３ａと、対向する他の突起部２３の周面２３ａとの間に、直線状の隙間部２７を形成する。この隙間部２７は、ある突起部２３の周面２３ａと、天面２１の表面２１ａからなる底面２７ａと、ある突起部２３に隣接する他の突起部２３の周面２３ａと、によって区画された直線空間である。ここでは、隙間部２７は、平坦面２６に取り囲まれた領域を長手方向に四等分する位置と、平坦面２６に取り囲まれた領域を短手方向に二等分する位置と、平坦面２６に取り囲まれた領域を長手方向に四等分し短手方向に二等分した各領域を、それぞれ対角線に沿って四等分する位置と、に形成されている。これにより、各突起部２３は、三角柱形状を呈している。
【００３７】
また、この隙間部２７の底面２７ａの幅寸法Ｗ２２は、第１積木本体１０の側面１２の先端面１２ａの幅寸法Ｗ１３や、第２積木本体２０の側面２２の先端面２２ａの幅寸法Ｗ２３の２倍の大きさに設定されている。
なお、目印Ｍのうちの「矢印」については、この隙間部２７に沿って天面２１の表面２１ａの一部をシボ加工し、表面に細かい凹凸を形成することで設けられている。
【００３８】
前記側面２２は、天面２１の周縁から垂下され、先端２２´によって底面２８を区画する。すなわち、この側面２２の先端２２´が、ここでは開放している底面２４の周縁に形成される脚部に相当する。この側面２２の先端２２´には、平坦な先端面２２ａが形成されると共に、この先端面２２ａの内側縁を斜めに傾斜させることで傾斜面２２ｂが形成されている。
【００３９】
前記先端面２２ａは、第２積木本体２０を、第１積木本体１０や他の第２積木本体２０の天面１１,２１上に載置したときに、第１積木本体１０や他の第２積木本体２０の平坦面１６,２６や隙間部１７,２７の底面１７ａ,２７ａに接触する。先端面２２ａの幅寸法Ｗ２３は、側面２２の厚み寸法βの半分の大きさに設定されている。
【００４０】
前記傾斜面２２ｂは、先端面２２ａに対し、突起部２３の周面２３ａに沿う傾斜角度で傾いている。そしてこの傾斜面２２ｂは、第２積木本体２０を、第１積木本体１０や他の第２積木本体２０の天面１１,２１上に載置したときに、第１積木本体１０や他の第２積木本体２０の突起部１３,２３の周面１３ａ,２３ａに接触する。
【００４１】
前記リブ２５は、上述のように、天面２１の裏面２１ｂから垂下され、内部空間Ｋを長手方向に二等分するが、このリブ２５の先端には、平坦なリブ先端面２５ａが形成されると共に、このリブ先端面２５ａの両側縁を斜めに傾斜させることで、リブ傾斜面２５ｂが形成されている。
【００４２】
前記リブ先端面２５ａは、第２積木本体２０を、第１積木本体１０や他の第２積木本体２０の天面１１,２１上に載置したときに、第１積木本体１０や他の第２積木本体２０の平坦面１６,２６や隙間部１７,２７の底面１７ａ,２７ａに接触する。リブ先端面２５ａの幅寸法Ｗ２４は、第１積木本体１０の側面１２の先端面１２ａの幅寸法Ｗ１３や、第２積木本体２０の側面２２の先端面２２ａの幅寸法Ｗ２３の２倍の大きさに設定されている。
【００４３】
前記リブ傾斜面２５ｂは、リブ先端面２５ａに対し、突起部２３の周面２３ａに沿う傾斜角度で傾いている。そしてこのリブ傾斜面２５ｂは、第２積木本体２０を、第１積木本体１０や他の第２積木本体２０の天面１１,２１上に載置したときに、第１積木本体１０や他の第２積木本体２０の突起部１３,２３の周面１３ａ,２３ａに接触する。
【００４４】
そして、この第２積木本体２０は、上述のように、長手方向の一方の端部の肉厚が、他方の端部の肉厚よりも厚くなっているが、ここでは、長手方向の一端部の側面２２Ａの内側（裏面）に、厚肉部材２８（図２においてドットで着色する部分）を接着剤にて貼着している。
この厚肉部材２８は、長手方向の一端部の側面２２Ａの厚み寸法を内側に向かって増大させる。なお、この厚肉部材２８は、図７に示すように、傾斜面２２ｂには干渉しない部分に貼着されている。また、厚肉部材２８が貼着された長手方向の一端部に位置する側面２２Ａの表面には、目印Ｍのうちの「動物の顔面イラスト」がプリントされている。
【００４５】
次に、実施例１の積木玩具における作用を、「積み上げ時位置決め作用」、「崩し容易作用」、「積み上げ性向上作用」、「積み上げ時かしめ作用」、「その他の特徴的作用」に分けて説明する。
【００４６】
［積み上げ時位置決め作用］
実施例１の積木玩具１において、複数の第１積木本体１０同士、又は、複数の第２積木本体２０同士、或いは、第１積木本体１０と第２積木本体２０は、それぞれ互いに積み上げることが可能である。
【００４７】
すなわち、図９Ａに示すように、ある第１積木本体１０１を、側面１２同士が揃うように他の第１積木本体１０２の天面１１上に積み上げたときには、上側に位置する第１積木本体１０１の側面１２の先端面１２ａは、すべての部分が下側に位置する第１積木本体１０２の平坦面１６に接触し、第１積木本体１０２上に載置される。また、このとき、上側に位置する第１積木本体１０１のリブ１５のリブ先端面１５ａは、下側に位置する第１積木本体１０２の隙間部１７の底面１７ａに接触する。
【００４８】
一方、このとき、上側に位置する第１積木本体１０１の傾斜面１２ｂは、下側に位置する第１積木本体１０２の平坦面１６に隣接した突起部１３の周面１３ａに接触する。また、上側に位置する第１積木本体１０１のリブ１５のリブ傾斜面１５ｂは、下側に位置する第１積木本体１０２の隙間部１７を区画する突起部１３の周面１３ａに接触する。
【００４９】
これにより、上下に位置する第１積木本体１０１,１０２に対して水平方向に力が掛かり、互いの位置がずれようとすれば、上側に位置する第１積木本体１０１の傾斜面１２ｂと、下側に位置する第１積木本体１０２の突起部１３の周面１３ａが干渉する。また、上側に位置する第１積木本体１０１のリブ傾斜面１５ｂと、下側に位置する第１積木本体１０２の突起部１３の周面１３ａが干渉する。
このため、上下に位置する第１積木本体１０１,１０２は、互いの位置ずれを防止することができ、側面１２同士が揃った状態を維持することができる。この結果、複数の第１積木本体同士を、側面１２を揃えた状態で容易に積み上げることができる。
【００５０】
また、図９Ｂに示すように、平面上に並べた二つの第１積木本体１０３,１０４の上に、これら二つの第１積木本体１０３,１０４を跨いでさらに第１積木本体１０５を積み上げる場合では、上側に位置する第１積木本体１０５の側面１２の先端面１２ａは、一部分が下側に位置する第１積木本体１０３,１０４の平坦面１６に接触し、他の部分が下側に位置する第１積木本体１０３,１０４の隙間部１７の底面１７ａに接触し、二つの第１積木本体１０３,１０４の上に第１積木本体１０５が載置される。また、このとき、上側に位置する第１積木本体１０５のリブ１５のリブ先端面１５ａは、下側に位置する第１積木本体１０３,１０４の平坦面１６に接触する。
【００５１】
一方、このとき、上側に位置する第１積木本体１０５の傾斜面１２ｂ及びリブ１５のリブ傾斜面１５ｂは、すべての部分が、下側に位置する第１積木本体１０３,１０４に形成されたいずれかの突起部１３の周面１３ａに接触する。
【００５２】
これにより、上下に位置する第１積木本体１０３〜１０５に対して水平方向に力が掛かり、互いの位置がずれようとしても、上側に位置する第１積木本体１０５の傾斜面１２ｂやリブ傾斜面１５ｂと、下側に位置する第１積木本体１０３,１０４の突起部１３の周面１３ａが干渉し、互いの位置ずれを防止することができる。つまり、側面１２同士が揃った状態でなくても、積み上げ状態を維持することができ、複数の第１積木本体１０同士の位置ずれを防止することができる。
【００５３】
また、複数の第２積木本体２０を積み上げるときも同様であり、図示はしないが、上側に位置する第２積木本体２０の傾斜面２２ｂやリブ傾斜面２５ｂと、下側に位置する第２積木本体２０の突起部２３の周面２３ａが干渉し、互いの位置ずれを防止して、希望の積み上げ状態を維持することができる。
【００５４】
さらに、第１積木本体１０と第２積木本体２０とを積み上げる場合であっても、図示はしないが、上述の複数の第１積木本体１０や複数の第２積木本体２０を積み上げるときと同様に、上側に位置する積木本体（第１積木本体１０又は第２積木本体２０）の傾斜面（１２ｂ又は２２ｂ）やリブ傾斜面（１５ｂ又は２５ｂ）と、下側に位置する積木本体（第２積木本体２０又は第１積木本体１０）の突起部（２３又は１３）の周面（２３ａ又は１３ａ）が干渉する。これにより、上側に位置する積木本体部の傾斜面やリブ傾斜面が、下側に位置する積木本体の突起部の周面に干渉し、互いの位置ずれを防止して、整然と積み上げることができ、希望の積み上げ状態を維持することができる。
【００５５】
なお、この実施例１では、第１,第２積木本体１０,２０が、いずれもリブ１５,２５を有しており、このリブ１５,２５の先端に突起部１３,２３の周面１３ａ,２３ａに沿って傾斜したリブ傾斜面１５ｂ,２５ｂが形成されている。
そのため、側面１２,２２の先端に形成された傾斜面１２ｂ,２２ｂだけが下側に位置する突起部１３,２３の周面１３ａ,２３ａに接触して位置ずれを防止する場合よりも、上下に位置する積木本体同士の接触面積を増加させ、位置決め安定性をより向上させることができる。
さらに、リブ１５,２５を形成したことで、第１,第２積木本体１０,２０の強度を向上させることができる。
【００５６】
［崩し容易作用］
上述のように、第１積木本体１０や第２積木本体２０を他の積木本体に積み上げたときには、上側に位置する積木本体の傾斜面やリブ傾斜面が、下側に位置する積木本体の突起部の周面に接触して位置決めがなされる。
【００５７】
ここで、突起部１３,２３は、いずれも周面１３ａ,２３ａが突起中心Ｏに向かって傾いている。そして、傾斜面１２ｂ,２２ｂ及びリブ傾斜面１５ｂ,２５ｂは、突起部１３,２３の周面１３ａ,２３ａに沿う傾斜角度で傾いている。そのため、上側に位置する積木本体の側面の内側に、下側に位置する積木本体の突起部が嵌合することがなく、上下の積木本体が連結することはない。つまり、上下に位置する積木本体同士を、位置決めしつつも単に載置されただけの状態とすることができる。
【００５８】
これにより、上側に位置する積木本体に対して一定以上の力が作用した場合や、下側に位置する積木本体を傾けた場合には、上側に位置する積木本体を容易に落下させることができる。そして、積み上げた状態の複数の積木本体を、容易に崩すことが可能である。
【００５９】
この結果、例えば第１,第２積木本体１０,２０を積み上げることで家やビル等の建物を組み立てたあと、ロボットや怪獣のおもちゃで建物を破壊するといった遊び方をすることができる。つまり、崩すことが遊びになる積木として用いることができる。
【００６０】
［積み上げ性向上作用］
実施例１の第１,第２積木本体１０,２０は、天面１１,２１が長方形に形成されて、直方体形状を呈している。そして、いずれも長手方向の一端に厚肉部材１８,２８が設けられ、この長手方向の一方の端部が、他方の端部よりも重くなっている。つまり、第１,第２積木本体１０,２０は、いずれも長手方向の重量に違いを持たせている。
【００６１】
そのため、この比較的重くなっている部分の先端面１２ａ,２２ａが、下側に位置する積木本体の天面に接触するように積み上げることで、図１０に示すように、上側に位置する積木本体（ここでは第１積木本体１０６）の比較的軽い方の長手方向端部を、下側に位置する積木本体（ここでは第１積木本体１０７）の天面から突出させた状態であっても、安定して積み上げることができる。
【００６２】
なお、この実施例１では、厚肉部材１８,２８を第１積木本体１０の側面１２や第２積木本体２０の側面２２とは別部材としている。そのため、側面１２,２２にひけが発生することを防止できる。
【００６３】
また、この実施例１では、第１,第２積木本体１０,２０の表面には、長手方向の方向性（重くなっている方の端部）を明示する目印Ｍが設けられている。そのため、複数の第１積木本体１０や第２積木本体２０を積み上げる際に、長手方向のどちらの端部の重量が重たくなっているかを容易に把握することができる。これにより、適切な状態で容易に積み上げることができる。
【００６４】
しかも、実施例１のように、天面１１,２１と側面１２,２２の両方に目印Ｍを設けることで、目印Ｍの視認性を高めることができるとともに、第１,第２積木本体１０,２０の意匠性を向上させることができる。つまり、目印Ｍを設けることで、第１,第２積木本体１０,２０の方向性（前後・左右・上下）が定まり、この第１,第２積木本体１０,２０を容易にキャラクター化することが可能となる。
【００６５】
［積み上げ時かしめ作用］
実施例１では、第１積木本体１０や、第２積木本体２０を積み上げていく際、互いの位置ずれを防止して、整然と積んでいくことができるため、上に積まれた積木本体の重みによって、下側の積木本体の位置を安定させることができる。
【００６６】
すなわち、図１０に示す第１積木本体１０７において、一点鎖線で囲んだＡ部には、上に２個の第１積木本体１０８,１０９がずれることなく積み上げられている。そのため、このＡ部は、上方から押さえられた状態となる。これにより、下側に位置する積木本体（第１積木本体１０７）のうち、下方から支えられていない部分（最下層に位置する第１積木本体１１０から突出したＢ部）にも、他の積木本体（ここでは、第１積木本体１０６）を積み足していくことが可能になる。
【００６７】
なお、図１０に示す第１積木本体１０６や、第１積木本体１０９のように、他の積木本体を積んでいなければ、上方から押さえられることがない。そのため、下方から支えられていない部分に他の積木本体を積み足そうとすれば、バランスが崩れて積み上げ状態が崩れてしまう。
この結果、例えば、積み上げ方や積み上げ数等をルール化し、複数の積木本体を積み上げていくことをゲームにして遊ぶことが可能となる。
【００６８】
［その他の特徴的作用］
実施例１の第１,第２積木本体１０,２０では、天面１１,２１及び底面１４,２４が長方形（矩形状）に形成されて直方体形状（方体形状）を呈している。また、突起部１３,２３は、天面１１,２１から複数突出すると共に、それぞれ平坦面１６,２６に沿った周面１３ａ,２３ａ又は他の突起部１３,２３との間に直線状の隙間部１７,２７を形成する周面１３ａ,２３ａの少なくとも一つを有している。
【００６９】
そのため、図９Ａ〜図１０に示すように、複数の第１積木本体１０や複数の第２積木本体２０同士を積み上げた際、側面１２,２２を揃えて、整然とした状態で積み上げることができる。また、この側面１２,２２が揃うことで、この側面１２,２２に設けた模様や図柄を揃えたり、合わせて一つの大きな模様等にしたりするなどができ、玩具としての面白みをさらに向上させることができる。
【００７０】
さらに、この実施例１では、第１積木本体１０及び第２積木本体２０は、いずれも長方形の天面１１,２１の長手方向寸法ＬＬ１,ＬＬ２が、自身の短手方向寸法ＬＳ１,ＬＳ２の２倍の長さに設定されている。一方、平坦面１６,２６は、天面１１,２１の表面周縁に形成されている。また、隙間部１７,２７は、平坦面１６,２６に取り囲まれた領域を長手方向に四等分する位置と、この領域を短手方向に二等分する位置と、に形成されている。
そのため、図９Ａ〜図１０に示すように、同じ積木本体同士を積み重ねるときには、互いの長手方向が直交又は平行になる状態で積み上げることができる。
また、二つの第１積木本体１０を並べたとき、又は、二つの第２積木本体２０を並べたときには、それぞれ平面視したときに正方形を形作ることができる。
【００７１】
しかも、第２積木本体２０は、短手方向寸法ＬＳ２が第１積木本体１０の短手方向寸法ＬＳ１√２倍に設定され、長手方向寸法ＬＬ２が第１積木本体１０の長手方向寸法ＬＬ１の√２倍の長さに設定されている。
また、第１積木本体１０では、隙間部１７が、平坦面１６に取り囲まれた領域を長手方向に二等分した各領域を、それぞれ対角線に沿って四等分する位置に形成され、第２積木本体２０では、隙間部２７が、平坦面２６に取り囲まれた領域を長手方向に四等分し短手方向に二等分した各領域を、それぞれ対角線に沿って四等分する位置に形成されている。
つまり、第１積木本体１０及び第２積木本体２０は、いずれも平坦面１６,２６の延在方向に対して、延在方向が斜めに設定された隙間部１７,２７を有している。
【００７２】
これにより、第１積木本体１０と第２積木本体２０とを積み上げる場合では、図１１に示すように、第１積木本体１０の長手方向と、第２積木本体２０の長手方向とが４５度ずれた状態で積み上げることができる。また、図１１に示すように、平面視で正方形になるように水平方向に並べた第１,第２積木本体１０,２０同士を重ねる際、それぞれの中心位置を位置させれば、第２積木本体２０で形成した直方体の隅角部を、第１積木本体１０で形成した直方体の周縁部に一致させた状態で積み上げることができる。
さらにこのとき、第１積木本体１０の側面１２は、第２積木本体２０の対角線に平行になり、第２積木本体２０の側面２２は、第１積木本体１０の対角線に平行になる。そのため、整然と積み上げることができ、積み上げ状態のバリエーションを増やして、玩具としての面白さを向上させることができる。
【００７３】
しかも、この実施例１では、第１積木本体１０の高さ寸法に対し、第２積木本体２０の高さ寸法を１.５倍に設定している。そのため、第１積木本体１０を３個積んだ高さと、第２積木本体２０を２個積んだ高さとを一致させることができ、より整然と積み上げ、また積み上げバリエーションの増大を図ることができる。
【００７４】
次に、効果を説明する。
実施例１の積木玩具にあっては、下記に列挙する効果を得ることができる。
【００７５】
(1) 一端に形成された第１面（天面１１）と、他端に形成されて前記第１面（天面１１）に対向する第２面（底面１４）と、前記第１面（天面１１）の周縁と前記第２面（底面１４）の周縁とを繋ぐ側面１２と、を有する積木本体（第１積木本体１０）を備えた積木玩具において、
前記第１面（天面１１）には、他の積木本体（他の第１積木本体１０）と積み重ねた際、前記他の積木本体（他の第１積木本体１０）に接触可能な平坦面１６が周縁に形成されていると共に、前記平坦面１６の内側に突起部１３が形成され、
前記突起部１３は、前記平坦面１６に沿った周面１３ａを有し、前記周面１３ａが突起中心Ｏに向かって傾いており、
前記第２面（底面１４）には、他の積木本体（他の第１積木本体１０）と積み重ねた際、前記他の積木本体（他の第１積木本体１０）に接触する脚部（先端１２´）が周縁に形成され、
前記脚部（先端１２´）は、先端の内側に、前記突起部１３の周面１３ａに沿う傾斜角度で傾き、前記積木本体（第１積木本体１０を他の積木本体（他の第１積木本体１０）と積み重ねた際、前記他の積木本体（他の第１積木本体１０）の突起部１３の周面１３ａに接触する傾斜面１２ｂが形成されている構成とした。
これにより、複数の積木本体（第１積木本体１０）を積み上げた際には位置ずれを防止して容易に揃えることができる一方、各積木本体（第１積木本体１０）が連結されることはなく簡単に崩すことができる。
【００７６】
(2) 前記積木本体（第１積木本体１０）は、前記第１面（天面１１）及び前記第２面（底面１４）が矩形状に形成されて方体形状を呈し、
前記突起部１３は、前記第１面（天面１１）から複数突出すると共に、それぞれ前記平坦面１６に沿った周面１３ａ又は他の突起部１３との間に直線状の隙間部１７を形成する周面１３ａの少なくとも一つを有する構成とした。
これにより、(1)の効果に加え、側面１２を揃えた状態で積み上げることができ、玩具としての面白みをさらに向上させることができる。
【００７７】
(3) 前記積木本体（第１積木本体１０）は、前記第１面（天面１１）及び第２面（底面１４）が長方形に形成されて直方体形状を呈し、長手方向の一方の端部が、他方の端部よりも重くなっている構成とした。
これにより、(2)の効果に加え、下側の積木本体（第１積木本体１０）に対して、上側の積木本体（他の第１積木本体１０）の一部を突出させた状態で積み上げても、安定して積み上げることができる。
【００７８】
(4) 前記積木本体（第１積木本体）の表面１１ａには、長手方向の方向性を明示する目印Ｍが設けられている構成とした。
これにより、(3)の効果に加え、長手方向のどちらの端部の重量が重たくなっているかを容易に把握することができる。
【００７９】
(5) 前記積木本体（第１積木本体１０）は、前記第１面（天面１１）の裏面１１ｂから垂下し、前記側面１２に囲まれた内部空間Ｋを区画するリブ１５を有すると共に、前記第２面（底面１４）は開放し、
前記リブ１５の垂下寸法は、前記側面１２の垂下寸法と同等に設定されると共に、前記リブ１５の先端に、前記突起部１３の周面１３ａに沿って傾斜し、前記積木本体（第１積木本体１０）を他の積木本体（他の積木本体１０）と積み重ねた際、前記他の積木本体（他の積木本体１０）の突起部１３の周面１３ａに接触するリブ傾斜面１５ｂが形成されている構成とした。
これにより、下に位置する積木本体同士の接触面積を増加させ、位置決め安定性をより向上させることができる。
【００８０】
(6) 前記第１面（天面１１）及び前記第２面（底面１４）が長方形に形成されて直方体形状を呈すると共に、長手方向寸法ＬＬ１が自身の短手方向寸法ＬＳ１の２倍の長さに設定された第１積木本体１０と、
前記第１面（天面１１）及び前記第２面（底面１４）が長方形に形成されて直方体形状を呈すると共に、長手方向寸法ＬＬ２が自身の短手方向寸法ＬＳ２の２倍の長さに設定され、且つ、短手方向寸法ＬＳ２が前記第１積木本体１０の短手方向寸法ＬＳ１の√２倍の長さに設定された第２積木本体２０と、
を有する構成とした。
これにより、第１積木本体１０の長手方向と、第２積木本体２０の長手方向が４５度ずれた状態で積み上げることができ、積み上げ状態のバリエーションを増やすことができる。
【００８１】
以上、本発明の積木玩具を実施例１に基づき説明してきたが、具体的な構成については、この実施例に限られるものではなく、特許請求の範囲の各請求項に係る発明の要旨を逸脱しない限り、設計の変更や追加等は許容される。
【００８２】
上記実施例１では、第１積木本体１０及び第２積木本体２０が、いずれも天面１１,２１に形成された平坦面１６,２６の延在方向に対して、延在方向が斜めになった隙間部１７,２７を有し、突起部１３,２３がいずれも三角柱形状を呈している。しかしながら、これに限らず、例えば図１２に示す積木本体３０のように、天面３１の周縁に形成された平坦面３６に囲まれた領域を長手方向に四等分する位置と、短手方向に二等分する位置とに隙間部３７を設け、平坦面３６の延在方向に対して、隙間部３７の延在方向を平行又は直交させるだけでも良い。
この場合では、各突起部３３が四角柱形状を呈し、図１３に示すように、複数の積木本体３０を積み上げた際、各積木本体３０の長手方向は、平行又は直交した状態となる。
【００８３】
さらに、実施例１では、積木本体の上に他の積木本体を積み上げる例を示したが、これに限らない。例えば、図１４に示すように、多数の突起３が形成されたプレート部材４の上に、複数の第１積木本体１０や複数の第２積木本体２０を積み上げてもよい。
この場合であっても、最下層に位置する第１,第２積木本体１０,２０の傾斜面１２ｂ,２２ｂが、プレート部材４に形成された突起３の周面に接触し、位置ずれを防止して、整然と積み上げていくことができる。
【００８４】
そして、実施例１では、天面１１,２１及び底面１４,２４が長方形であって、直方体形状を呈した第１,第２積木本体１０,２０を示したが、これに限らない。天面及び底面が正方形や三角形等の多角形であってもよいし、図１５に示すように天面４１及び底面が円形の円柱体や、天面及び底面が楕円形や星形などであってもよい。さらに、天面１１,２１に形成される突起部１３,２３も複数でなくてもよく、図１５に示す積木本体４０のように、天面４１に突起部４３を一つだけ設けたものであってもよい。
この場合であっても、積み重ねた積木本体４０同士の位置決めができ、容易に揃えた状態で積み上げることができる。また、簡単に崩すことも可能である。
【００８５】
そして、実施例１では、第２面である底面１４,２４が開放した例を示したが、これに限らず、例えば、図１６に示す積木本体５０ように、第２面５１が閉鎖されていてもよい。この場合、平坦な第２面５１の周縁から脚部５２が突出し、脚部５２の先端には先端面５２ａ及び傾斜面５２ｂが形成されている。一方、第１面５３には、図示しない平坦面と複数の突起部５４が形成されている。
【００８６】
さらに、実施例１では、第１,第２積木本体１０,２０を積み重ねる際、積木本体の天面１１,２１上に、他の積木本体を載置する例を示したが、積み重ね方はこれに限らない。すなわち、下側に位置する積木本体の第２面の上に、他の積木本体を載置することで、複数の積木本体を積み重ねてもよい。つまり、突起部が形成された第１面と、脚部が形成された第２面とは、どちらを上方に向けて積み重ねてもよい。いずれの場合であっても、突起部と脚部とが干渉し、積み上げ時に位置ずれを防止して容易に揃えることができる。
【００８７】
また、実施例１では、第１,第２積木本体１０,２０の長手方向の一方の端部を、他方の端部よりも重たくするため、厚肉部材１８,２８を設けた例を示した。しかし厚肉部材１８,２８を側面１２,２２と一体に形成してもよい。なお、側面１２,２２を肉厚にすることで、厚みによってはひけの発生が懸念される。そのため、実施例１のように、厚肉部材１８,２８を、側面１２,２２に対して別部品とすることが好ましい。
また、重量を重たくするためには、例えば天面１１,２１の裏面１１ｂ,２１ｂにボルトや金属プレートを設けることで積木本体の長手方向の一方の端部を重たくしたり、天面１１,２１や側面１２,２２の一部に肉抜き部分（穴やへこみ等）を設けることで長手方向一方の端部を軽くしたりしてもよい。すなわち、直方体形状に形成された積木本体の長手方向の重量バランスを不均等にすることで、複数の積木本体が上下にずれた状態であっても安定して積み上げることができる。
【００８８】
さらに、実施例１の第１積木本体１０及び第２積木本体２０では、長手方向の方向性を示す目印Ｍを、天面１１に設けた「矢印」と、側面１２に設けた「動物の顔面イラスト」とし、重たくなっている方の長手方向端部を示す例を示した。しかし、これに限らず、例えば天面１１の一部をへこませたり、側面１２の一部の色を変えたりすることで目印としてもよい。また、目印は、軽くなるように設定された方の手方向端部を示すものであってもよい。
【００８９】
そして、実施例１では、第１,第２積木本体１０,２０は、いずれも長手方向寸法が自身の短手方向寸法の２倍の長さに設定されている。また、第２積木本体２０は、第１積木本体１０に対して縦横寸法をそれぞれ√２倍に設定され、高さ寸法が１.５倍に設定されている。しかしながら、各積木本体の寸法の比率はこれに限らず、任意に設定することができる。これにより、様々な大きさの積木本体を形成することができ、さらに遊びの幅を広げることができる。
【符号の説明】
【００９０】
１      積木玩具
１０    第１積木本体
１１    天面（第１面）
１２    側面
１２´  先端（脚部）
１２ａ  先端面
１２ｂ  傾斜面
１３    突起部
１３ａ  周面
１４    底面（第２面）
１５    リブ
１５ａ  リブ先端面
１５ｂ  リブ傾斜面
１６    平坦面
１７    隙間部
１８    厚肉部材
２０    第２積木本体
２１    天面（第１面）
２２    側面
２２´  先端（脚部）
２２ａ  先端面
２２ｂ  傾斜面
２３    突起部
２３ａ  周面
２４    底面（第２面）
２５    リブ
２５ａ  リブ先端面
２５ｂ  リブ傾斜面
２６    平坦面
２７    隙間部
２８    厚肉部材
【図１】
0006385975.tif 000002
【図２】
0006385975.tif 000003
【図３】
0006385975.tif 000004
【図４】
0006385975.tif 000005
【図５】
0006385975.tif 000006
【図６】
0006385975.tif 000007
【図７】
0006385975.tif 000008
【図８】
0006385975.tif 000009
【図９Ａ】
0006385975.tif 000010
【図９Ｂ】
0006385975.tif 000011
【図１０】
0006385975.tif 000012
【図１１】
0006385975.tif 000013
【図１２】
0006385975.tif 000014
【図１３】
0006385975.tif 000015
【図１４】
0006385975.tif 000016
【図１５】
0006385975.tif 000017
【図１６】
0006385975.tif 000018